(57)【要約】【課題】  通行の妨げになり難い状態で緑化を図れるようにする。【解決手段】  複数階の各床Ｆの内、少なくとも最上階の床ＦＴが、上下に光が通過可能な透光部Ｓを有する床材２で形成してある多層駐車場において、透光部Ｓの直下に、植物３を生育自在な状態で保持する緑化部４を設けてある。【選択図】        図１
2005139662.tif 000002
【特許請求の範囲】
【請求項１】
複数階の各床の内、少なくとも最上階の床が、上下に光が通過可能な透光部を有する床材で形成してある多層駐車場であって、
前記透光部の直下に、植物を生育自在な状態で保持する緑化部を設けてある多層駐車場。
【請求項２】
前記透光部は、床を上下に貫通する開口である請求項１に記載の多層駐車場。
【請求項３】
前記床材は、グレーチング、パンチングメタル、エキスパンドメタルの何れかである請求項１又は２に記載の多層駐車場。
【請求項４】
前記緑化部は、複数のプランターと、プランター内の客土と、客土に植えた植物を備えて構成してあり、各プランターからの水を集めて排水する排水管を設けてある請求項１〜３の何れか一項に記載の多層駐車場。
【請求項５】
請求項１〜４に記載の多層駐車場に用いる緑化部を構成する駐車場緑化装置であって、
内部に植物を植えた客土を積層させたプランターを設け、前記プランターを、前記床の透光部直下に位置させる支持部を設けてある駐車場緑化装置。
【請求項６】
前記支持部は、上階の床から前記プランターを着脱自在に吊り下げ支持する吊り下げ具である請求項５に記載の駐車場緑化装置。
【請求項７】
前記プランターに連通接続させて排水管を設けてある請求項５又は６に記載の駐車場緑化装置。
【請求項８】
前記プランターの植物に水を供給自在な給水管を設けてある請求項５〜７の何れか一項に記載の駐車場緑化装置。
【発明の詳細な説明】
【技術分野】
【０００１】
本発明は、複数階の各床の内、少なくとも最上階の床が、上下に光が通過可能な透光部を有する床材で形成してある多層駐車場、及び、その多層駐車場に用いる緑化部を構成する駐車場緑化装置に関する。
【背景技術】
【０００２】
従来、この種の多層駐車場としては、例えば、床材にグレーチングやパンチングメタル等を用いたものがあり、この構成によって、コンクリートスラブ等に比べて床重量の軽減を図ることができ、それに伴って、建物全体の支持構造をも軽微なものとすることができ、コストダウンを図れるというメリットがあった。また、グレーチングやパンチングメタル等の床材は、上下に光が通過可能であるから、多層階であっても床を通して光が差し込み照明コストの低減化をも叶えることができるものである。
また、この種の多層駐車場に関しては、特に緑化を併用することはされておらず、従って、駐車場緑化装置も無かった。
【発明の開示】
【発明が解決しようとする課題】
【０００３】
上述した従来の多層駐車場によれば、緑化とは甚だ縁が遠く、無味乾燥な景観になり易い問題があった。また、植物を観賞できるように既製の花壇等を床の上に設置することも考えられるが、その場合は、床面積が減少し、駐車台数が減ったり、通行の妨げになったりすると言った新たな問題点が挙げられる。
【０００４】
従って、本発明の目的は、上記問題点を解消し、通行の妨げになり難い状態で緑化を図れる多層駐車場及び駐車場緑化装置を提供するところにある。
【課題を解決するための手段】
【０００５】
本発明の第１の特徴構成は、複数階の各床の内、少なくとも最上階の床が、上下に光が通過可能な透光部を有する床材で形成してある多層駐車場において、前記透光部の直下に、植物を生育自在な状態で保持する緑化部を設けてあるところにある。
【０００６】
本発明の第１の特徴構成によれば、透光部の直下に、植物を生育自在な状態で保持する緑化部を設けてあるから、床上から透光部を通して緑化部の植物を観賞することができ、潤いのある景観を実現することが可能となる。また、その緑化部は、床面より下方にあることで植物の根が踏みつけられることが無く、且つ、透光部を通して太陽光を浴びることができるから、健全な状態の植物生育環境を確保し易く、植物がより育ち易く枯れ難い緑化環境を実現することが可能となる。
そして、緑化部そのものは、床の直下に設けてあるから、床の上の通行の妨げになり難く、有効な床面積の減少の無い状態で緑化を図ることが可能となる。
【０００７】
本発明の第２の特徴構成は、前記透光部は、床を上下に貫通する開口であるところにある。
【０００８】
本発明の第２の特徴構成によれば、本発明の第１の特徴構成による上述の作用効果を叶えることができるのに加えて、透光部は、床を上下に貫通する開口であるから、透光部の下方の緑化部で生育する植物は、前記開口を通して上方へ伸びることが可能で、より立体的な状態での緑化を図ることができる。そして、例えば、開口を通して伸びた植物によって、床材を目立ち難くすることができ、より美しい緑化景観を楽しむことができる。
また、雨が降れば、開口を通して緑化部に降り注がれ、水やりの手間を軽減することが可能となる。
【０００９】
本発明の第３の特徴構成は、前記床材は、グレーチング、パンチングメタル、エキスパンドメタルの何れかであるところにある。
【００１０】
本発明の第３の特徴構成によれば、本発明の第１又は２の特徴構成による上述の作用効果を叶えることができるのに加えて、グレーチングやパンチングメタルやエキスパンドメタル等の床材は、比較的手に入り易い汎用材料でありながら、植物の生育に好ましい開口率を確保し易く、駐車場緑化を良好に且つ低コストで叶えることができる。
【００１１】
本発明の第４の特徴構成は、前記緑化部は、複数のプランターと、プランター内の客土と、客土に植えた植物を備えて構成してあり、各プランターからの水を集めて排水する排水管を設けてあるところにある。
【００１２】
本発明の第４の特徴構成によれば、本発明の第１〜３の何れかの特徴構成による上述の作用効果を叶えることができるのに加えて、プランター内の水は排水管を通して排水されるから、客土の水はけを良くして植物の根腐り防止を図ることができる。そして、排水管で排水できるから、プランターから水が溢れて床面を濡らしてスリップの原因になると言ったことも未然に防止でき、通行の妨げになり難い環境を維持できる。
【００１３】
本発明の第５の特徴構成は、請求項１〜４に記載の多層駐車場に用いる緑化部を構成する駐車場緑化装置において、内部に植物を植えた客土を積層させたプランターを設け、前記プランターを、前記床の透光部直下に位置させる支持部を設けてあるところにある。
【００１４】
本発明の第５の特徴構成によれば、前記支持部によって、プランターを床の透光部の直下に位置させることができ、床上から透光部を通してプランターの植物を観賞することができ、潤いのある景観を実現することが可能となる。また、そのプランターは、床面より下方にあることで植物の根が踏みつけられることが無く、且つ、透光部を通して太陽光を浴びることができるから、健全な状態の植物生育環境を確保し易く、植物がより育ち易く枯れ難い緑化環境を実現することが可能となる。
そして、プランターそのものは、床の直下に位置させることができるから、床の上の通行の妨げになり難く、有効な床面積の減少の無い状態で緑化を図ることが可能となる。
尚、支持部は、上階の床から吊り支持させる形式や、該当階の床上に柱等で立設支持させる形式や、該当階の柱に取り付けて支持させる形式を採用することが可能である。
【００１５】
本発明の第６の特徴構成は、前記支持部は、上階の床から前記プランターを着脱自在に吊り下げ支持する吊り下げ具であるところにある。
【００１６】
本発明の第６の特徴構成によれば、本発明の第５の特徴構成による上述の作用効果を叶えることができるのに加えて、上階の床とプランターとの間に支持部を位置させることができるから、支持部そのものが目立ち難いと共に、支持部には主として引張応力が作用することになるから、曲げ応力や圧縮応力で荷重負担するものに比べて部材断面を小さくすることができ、より目立ち難くして美観性の向上を図れると共に、コストダウンを図ることが可能となる。
また、吊り下げ具は、プランターを着脱自在に形成されているから、植物のメンテナンス時に、簡単にプランターを取り外して作業することができ、緑化部の維持管理性の向上を図ることができる。
【００１７】
本発明の第７の特徴構成は、前記プランターに連通接続させて排水管を設けてあるところにある。
【００１８】
本発明の第７の特徴構成によれば、本発明の第５又は６の特徴構成による上述の作用効果を叶えることができるのに加えて、プランター内の水は排水管を通して排水されるから、客土の水はけを良くして植物の根腐り防止を図ることができる。そして、排水管で排水できるから、プランターから水が溢れて床面を濡らしてスリップの原因になると言ったことも未然に防止でき、通行の妨げになり難い環境を維持できる。
【００１９】
本発明の第８の特徴構成は、前記プランターの植物に水を供給自在な給水管を設けてあるところにある。
【００２０】
本発明の第８の特徴構成によれば、本発明の第５〜７の何れかの特徴構成による上述の作用効果を叶えることができるのに加えて、植物への水供給を、人力による散水や降雨に頼らなくても実施することができる。従って、手間を掛けずに、計画的な水やりを実施することができ、より枯れ難い植物生育環境を形成することができる。
【発明を実施するための最良の形態】
【００２１】
以下に本発明の実施の形態を図面に基づいて説明する。
【００２２】
図１は、本発明の駐車場緑化装置の一実施形態品（以後、単に緑化装置Ｇという）を設置した多層駐車場Ｂを示すもので、本実施形態においては、２階建てのものを例に挙げて説明する。
多層駐車場Ｂは鉄筋コンクリート基礎構造部１上に形成された鉄骨造の建物で、一階部Ｂ１、及び、二階部Ｂ２に、多数の駐車スペースと、通路スペースとがそれぞれ設けられている。また、図には示さないが、一階部Ｂ１から二階部Ｂ２にかけては、スロープが設けてあり、車は、一階部Ｂ１と二階部Ｂ２との間の移動時にこのスロープを走行するように構成されている。
【００２３】
本実施形態では、床Ｆは一階と二階との二つあるわけであるが、前記一階部Ｂ１の床Ｆ１は、鉄筋コンクリートによって形成してある。また、二階部Ｂ２の床（最上階の床ＦＴに相当）Ｆ２、及び、前記スロープは、鉄骨の梁上に設置されたグレーチング（床材２に相当）２Ａによって構成されている。そして、グレーチング２Ａの下方には、植物３を生育自在な状態で保持する緑化部４を構成する緑化装置Ｇを、グレーチング下面に沿わせて設けてある。
【００２４】
前記グレーチング２Ａは、図２に示すように、矩形形状の金属製外枠２Ａａ内に、矩形長辺方向に間隔をあけて、矩形短辺方向に沿う状態に複数の金属製帯板２Ａｂを設け、外枠２Ａａの矩形短辺部から各帯板２Ａｂにわたって複数の棒鋼２Ａｃを一体に設けて構成してある。棒鋼２Ａｃは、帯板２Ａｂの縦長断面の上縁部にわたってそれぞれ溶接にて固着してある。
従って、外枠２Ａａと帯板２Ａｂとの間、及び、隣接する帯板２Ａｂどうしの間には、上下に貫通する開口５が形成され、その開口５は、棒鋼２Ａｃの存在によって更に細分化されている。また、この開口５を通して上下に光が通過することができ、この開口５を別名、透光部Ｓと言う。更には、当然のことであるが、この開口５を通して前記緑化部４の植物３が床面上に伸び出ることや、雨水が開口５を通過して緑化部４に降り注がれることで植物３への水やりをしたり、人が床Ｆ２上からホース等で散水することで開口５を通過させて緑化部４への水やりをしたりすることが可能である。
尚、グレーチング２Ａを支持している建物本体６は、図１に示すように、基礎構造部１上に立設された複数の柱６Ａ、隣接する柱６Ａにわたって一体的に掛け渡された複数の大梁６Ｂ、大梁６Ｂ間にわたって一体的に掛け渡された複数の小梁６Ｃ、小梁６Ｃ間にわたって一体的に掛け渡された複数の受梁６Ｄを設けて構成してあり、グレーチング２Ａは、その長辺部分を前記受梁６Ｄ上に載置する状態で取付固定されている。
【００２５】
前記緑化部４について説明する。
前記緑化部４は、前記緑化装置Ｇを設けて構成してあり、緑化装置Ｇは、図４に示すように、プランター７を設け、プランター７を、グレーチング２Ａの透光部Ｓ直下に位置させる支持部８を設け、各プランター７に連通接続させた排水管９を設けて構成してある。
【００２６】
前記プランター７は、図１、図４に示すように、受梁６Ｄ間に納まる外形形状に形成してあり、例えば、合成樹脂や金属等によって構成することができる。
プランター７の上縁部には、フランジ部７ａが全周にわたって設けてあり、補強部と共に、前記プランター７への取付部として構成されている。そして、このフランジ部７ａには、取付用のボルト挿通穴７ｂが複数箇所に設けられている。
また、プランター７の底部分は、中央部分が最も低くなるように傾斜させて形成してあり、この中央部分には排水穴７ｃが設けてあって、排水穴７ｃの周囲の筒部に前記排水管９が連通状態に取り付けられている。従って、プランター７内に溜まった水は、この排水穴７ｃを通して排水管９から排水させることができる。
一方、プランター７の内部空間には、客土１０、及び、その客土１０層に植え付けられた植物３が収容されている。
【００２７】
前記支持部８について説明すると、図２、図３に示すように、グレーチング２Ａからプランター７を吊り下げ支持する吊り下げ具１１で構成してある。
吊り下げ具１１は、グレーチング２Ａの隣接する帯板２Ａｂに各別に係止自在な断面『Ｕ』字形状の吊り金物１１ａを設けると共に、吊り金物１１ａの底部分に設けたボルト挿通穴１１ｂ及びプランター７のボルト挿通穴７ｂに挿通させて両者を連結する吊りボルト１１ｃとナット１１ｄとを設けて構成してある。
吊り金物１１ａの各上端部は、フック形状に形成してあり、この部分を前記帯板２Ａｂの上縁に係止させることができる。
従って、グレーチング２Ａの下面に沿ってプランター７を配置した状態で、吊り金物１１ａをグレーチング２Ａの帯板２Ａｂに係止させ、吊り金物１１ａとプランター７のフランジ部７ａとを前記吊り下げ具１１で連結することで、プランター７を設置することができる。
【００２８】
前記排水管９は、例えば、合成樹脂管や金属管等で構成することができ、本実施形態においては、複数のプランター７に接続した排水管９は下流側で合流させてあり、合流した排水管９は柱６Ａに沿わせて配置し、一階部Ｂ１の排水溝１２に排水を流下させるように構成してある。
【００２９】
本実施形態の多層駐車場によれば、車の通行は、グレーチング２Ａ上を不自由なく行うことができ、しかも、グレーチング２Ａの開口５を通して、その下方のプランター７内に生育する植物３を観賞することができ、潤いのある駐車スペースを提供することが可能となる。また、植物３への水やりは、降雨に頼ることもできる他、グレーチング２Ａ上から散水することでも実施できる。そして、植物３の生育に欠くことのできない太陽光は、グレーチング２Ａの開口５を通して充分に照射することができるから、植物３に対する良好な生育環境を提供することができる。
また、植物３がグレーチング２Ａの開口５から上方へ伸びて出たとしても、通行車両の荷重は、植物３の根には作用しないから、植物３が枯れ難い。
【００３０】
〔別実施形態〕
以下に他の実施の形態を説明する。
【００３１】
〈１〉  前記床材２は、先の実施形態で説明したグレーチング２Ａに限るものではなく、例えば、パンチングメタルや、エキスパンドメタル等の単独品、若しくは、組み合わせであってもよく、更には、穴あきハニカムボード等であってもよく、それらを総称して床材という。
〈２〉  前記支持部８は、先の実施形態で説明したグレーチング２Ａからプランター７を吊り下げ支持する吊り下げ具１１で構成するものに限るものではなく、例えば、該当階の床上に支持柱を設けて緑化部を支持させる形式や、該当階の柱や梁に取り付けて緑化部を支持させる形式を採用することも可能で、それらを総称して支持部と言う。
〈３〉  図５に示すように、緑化部４の植物３に水を供給自在な給水管１３を設ける構成を採用することも可能で、この場合は、水やりを手間を掛けずに且つ計画的に実施することが可能となる。給水管１３は、床面上に突出しない状態に設けるのが車両通行上好ましい。
〈４〉  透光部は、先の実施形態で説明した開口５に限るものではなく、例えば、透明板のように、開口はしないものの太陽光は通過させると言った構成を採用することも可能である。従って、透光部とは、開口の有無とは無関係に、光を通すものであればよく、それらを総称して透光部と言う。
〈５〉  多層駐車場は、先の実施形態では、二階建てのものを例に挙げて説明したが、三階建て以上の複数階構造であってもよく、また、透光部と緑化部は、少なくとも最上階の床に設ける必要がある。従って、最上階より下の階層の床に透光部、緑化部を設ける構成を採用することも可能である。
【００３２】
尚、上述のように、図面との対照を便利にするために符号を記したが、該記入により本発明は添付図面の構成に限定されるものではない。
【図面の簡単な説明】
【００３３】
【図１】駐車場を示す側面視説明図
【図２】グレーチングとプランターとの関係を示す一部省略斜視図
【図３】吊り下げ具の取付状態を示す要部詳細断面図
【図４】プランターの設置状況を示す要部詳細断面図
【図５】別実施形態の緑化部を示す要部詳細断面図
【符号の説明】
【００３４】
２      床材
３      植物
４      緑化部
５      開口
７      プランター
８      支持部
９      排水管
１０    客土
１１    吊り下げ具
１３    給水管
Ｆ      床
ＦＴ    最上階の床
Ｓ      透光部
【図１】
2005139662.tif 000003
【図２】
2005139662.tif 000004
【図３】
2005139662.tif 000005
【図４】
2005139662.tif 000006
【図５】
2005139662.tif 000007